(57)【要約】【課題】肌に密着させてマッサージする美容機器を提供すること。【解決手段】本発明は、ハンドピースの一端部に少なくとも一対のボール組立体を備え、ボール組立体は相互に間隔を置いてそれぞれ一つの軸線を中心に回転可能に支持される美容機器であって、ボール組立体は、先端部が傾斜したテーパ面を形成し、後端に直径が拡張された段差部を備えるシャフト、段差部に密着してシャフトが挿入される第１ベアリング、シャフトが挿入されて第１ベアリングと一定間隔離間して配設される第２ベアリング、シャフトの一部が挿入されて先端部が接する凹部が形成され、第２ベアリングの外周面と密着し、シャフトを軸に回転するボール導電体、及び、内部に貫通孔が形成されて内周面が第１ベアリングの外周面と密着し、外周面にはボール導電体の内周面と結合するロックナットを含む。【選択図】図３
2019181172.tif 000002
【特許請求の範囲】
【請求項１】
ハンドピースの一端部に少なくとも一対のボール組立体を備え、前記ボール組立体は相互に間隔を置いてそれぞれ一つの軸線を中心に回転可能に支持される美容機器であって、
前記ボール組立体は、
先端部が傾斜したテーパ面を形成し、後端に直径が拡張された段差部を有するシャフトと、
前記段差部に密着して前記シャフトが挿入される第１ベアリングと、
前記シャフトが挿入され、前記第１ベアリングと一定間隔離間して配設される第２ベアリングと、
前記シャフトの一部が挿入されて前記先端部が接する凹部が形成され、前記第２ベアリングの外周面と密着し、前記シャフトを軸に回転するボール導電体と、
内部に貫通孔が形成されて内周面が前記第１ベアリングの外周面と密着し、外周面は前記ボール導電体の内周面と結合するロックナットと、
を含むことを特徴とする美容機器。
【請求項２】
前記シャフトは、前記第１ベアリングが配設される位置の外側にリング溝を有し、
前記リング溝には、前記シャフトの外径よりも拡張され、一側が切開されたスナップリングが嵌入されることで、当該スナップリングと前記第１ベアリングとが密着することを特徴とする請求項１に記載の美容機器。
【請求項３】
前記シャフトは、前記第２ベアリングが配設される位置の両外側にそれぞれリング溝を有し、
前記各リング溝には、前記シャフトの外径よりも拡張され、一側が切開されたスナップリングがそれぞれ嵌入されることで、当該スナップリングと前記第２ベアリングとが密着することを特徴とする請求項１に記載の美容機器。
【請求項４】
前記ボール導電体の前記凹部は、前記シャフトの前記テーパ面よりも回転軸に対してより大きな傾斜をもつ円錐端部を備えることを特徴とする請求項１に記載の美容機器。
【請求項５】
前記ボール導電体と前記ロックナットとは螺合することを特徴とする請求項１に記載の美容機器。
【請求項６】
前記シャフトと前記ボール導電体とは、前記シャフトの直径よりも小さい円状の線形接触部を形成することを特徴とする請求項１に記載の美容機器。
【請求項７】
前記ロックナットの一側端部は、前記貫通孔の直径が減少したストッパー部を備え、前記ロックナットが前記ボール導電体との結合の際、前記ストッパー部が前記第１ベアリングに支持されることを特徴とする請求項１に記載の美容機器。
【発明の詳細な説明】
【技術分野】
【０００１】
本発明は、美容機器に関するもので、特に肌に密着させてマッサージする美容機器に関するものである。
【背景技術】
【０００２】
本明細書において他に表示しない限り、この項目で説明する内容は本願の請求範囲に対する従来技術ではなく、また、この項目に含まれていても従来技術と認められるものではない。
【０００３】
人は、老化の進行に伴って顔面の筋肉は弾力を失い、しわが生じたり、肌のたるみが発生したり、する。美容産業が発展しながら、肉眼で見える肌（特に、顔）のしわやたるみを防止するために、肌管理に関する機器が開発されている。
【０００４】
一例として、電気の刺激によってコラーゲンと弾性繊維を増生し、肌細胞を再生させるだけでなく、細胞の再生と血流の増加によって肌を健康にし、弾力を与え、肌の保護及び管理を行うことができる美容機器がある。
【先行技術文献】
【特許文献】
【０００５】
【特許文献１】韓国特許登録  第１０−１７７３５０８号公報
【発明の概要】
【発明が解決しようとする課題】
【０００６】
本発明は、使用者が電気治療施術を行うことができるように使いやすさを向上させ、必要な部位に電気がよく印加できるように安定した構造を有し、また、生産性も向上する美容機器を提供することにその目的がある。
【課題を解決するための手段】
【０００７】
本発明による美容機器は、ハンドピースの一端部に少なくとも一対のボール組立体を備え、ボール組立体は互いに間隔を置いて、それぞれ一つの軸線を中心に回転可能に支持される。
【０００８】
ここでボール組立体は、先端部が傾斜したテーパ面を形成し、後端に直径が拡張された段差部を有するシャフトと、段差部に密着してシャフトが挿入される第１ベアリングと、シャフトが挿入され、第１ベアリングと一定間隔離間して配設される第２ベアリングと、シャフトの一部が挿入されて前記先端部が接する凹部が形成され、第２ベアリングの外周面と密着し、前記シャフトを軸に回転するボール導電体（コンダクター）と、内部に貫通孔が形成されて内周面が第１ベアリングの外周面と密着し、外周面はボール導電体の内周面と結合するロックナットと、を含む。
【発明の効果】
【０００９】
本発明の美容機器によれば、ボール導電体（コンダクター）が二つのベアリングによって支持されて回転するので、マッサージの際にボール導電体が回転するにつれ、軸がずれて低周波の伝達が途切れたり、強度が変わったり、することを防止してボール導電体の安定した回転を可能にし、一定の強度の低周波を安定的に肌に伝えることができる。
【００１０】
また、シャフトの先端とボール導電体の凹部の先端とが円状に線接触して、摩擦や抵抗の変化が小さくなるという効果を奏する。
【００１１】
さらに、ボール組立体の組立が簡単で、生産性が向上するという効果がある。
【図面の簡単な説明】
【００１２】
【図１】本発明の一実施形態による美容機器の平面図である。
【図２】本発明の一実施形態による美容機器の側面図である。
【図３】本発明の一実施形態による美容機器のボール組立体の拡大断面図である。
【図４Ａ】本発明の一実施形態による美容機器のボール組立体の組立図である。
【図４Ｂ】本発明の一実施形態による美容機器のボール組立体の組立図である。
【図４Ｃ】本発明の一実施形態による美容機器のボール組立体の組立図である。
【図４Ｄ】本発明の一実施形態による美容機器のボール組立体の組立図である。
【発明を実施するための形態】
【００１３】
本発明の利点と特徴、そしてそれらを達成する方法は、添付図に基づいて詳細に後述する実施形態を参照すると明確になる。
【００１４】
しかし、本発明の開示内容は、以下で説明する実施形態に限定されるものではなく、他の多様な形態で具現することができ、単に本実施形態は開示内容を明確にし、本発明が属する技術分野において通常の知識を有する者に知らせるために提供されるものであって、本開示内容は、特許請求の範囲により定義されなければならない。また、明細書全体にわたって同一の図面符号は同一の構成要素を指す。
【００１５】
本発明の実施形態を説明するにあたり、公知の機能や構成に関する具体的な説明が本発明の要旨を不必要に曖昧にすると判断される場合は、その詳細な説明を省略する。また、後述の用語は、本発明の実施形態の機能を考慮して定義された用語であって、これらは使用者、運用者の意図または慣例などによって変わることがある。したがって、その定義は、本明細書全般にわたる内容に基づいて下されなければならない。
【００１６】
図１及び図２は、本発明の一実施形態による美容機器を示している。本発明の一実施形態による美容機器は、使用者が手で握りやすい形態のハンドピース２００を備え、ハンドピース２００の先端にはＹ字状に一対のボール組立体１００が設けられる。一対のボール組立体１００は、相互に間隔を置いてそれぞれ一つの軸線を中心に回転可能に支持される。
【００１７】
このような美容機器は、ボール組立体１００が肌（特に顔）に密着するようにして押しつけるとボール組立体１００が回転しながらボール組立体１００間に肌が巻き込まれることで肌をマッサージする。同時にハンドピース２００からボール組立体１００に低周波を印加すると、ボール組立体１００が肌に密着して肌に低周波を伝えて美容効果を達成することができる。
【００１８】
このような本発明の一実施形態による美容機器のボール組立体１００は、具体的には図３に示すような断面を有する。
【００１９】
ボール組立体１００は、シャフト１０、第１ベアリング２０、第２ベアリング３０、ボール導電体４０、ロックナット５０を含む。
【００２０】
シャフト１０は、先端部がボール導電体４０と接し、後端部はハンドピース２００に結合して一つの軸線を形成する。シャフト１０の先端部には、傾斜したテーパ面１２が形成され、少し丸まった形態であることができる。また、シャフト１０の後端部側には、シャフト１０の直径が拡張された段差部１４が形成されている。シャフト１０は、ハンドピース２００から伝達される電気を伝導することができる材質で形成され、導電性が高い真鍮、銅、ステンレス、アルミニウムなどからなることが望ましい。
【００２１】
シャフト１０には、二つのベアリング２０、３０が当該シャフト１０の先端部と後端部との間に一定間隔離間して配設されている。
【００２２】
第１ベアリング２０は、内部にシャフト１０が挿入され、シャフト１０の段差部１４に一側が密着して配設されている。この時、シャフト１０の外周面には、第１ベアリングが配設されている部分の外側にリング溝１６が形成されている。また、リング溝１６には、スナップリング６０が嵌入されて第１ベアリングと密着する。スナップリング６０は円盤状部材で、内径はリング溝１６の外周面に対応し、外径はシャフト１０の外径よりも大きく拡張されている。また、リング溝１６にスナップリング６０が嵌入できるように、スナップリング６０の一側は切開されている。第１ベアリング２０は、シャフト１０に形成された段差部１４とスナップリング６０とによってシャフト１０上に位置を固定することができる。
【００２３】
第２ベアリング３０は、内部にシャフト１０が挿入され、第１ベアリング２０と一定間隔離間して配設されている。シャフト１０には、第２ベアリングが配設される部分の両外側にリング溝１７、１８がそれぞれ形成されている。また、各リング溝１７、１８には、スナップリング６０が嵌入されて第２ベアリングと密着する。スナップリング６０は、円盤状部材で、内径はリング溝１７、１８の外周面に対応し、外径はシャフト１０の外径よりも大きく拡張されている。また、リング溝１７、１８にスナップリング６０が嵌入できるように、スナップリング６０の一側は切開されている。第２ベアリング３０は、シャフト１０に嵌入された二つのスナップリング６０によってシャフト１０上に位置を固定することができる。
【００２４】
二つのベアリング２０、３０が配設されたシャフト１０の先端部を含む一部がボール導電体４０に形成された凹部４２に挿入され、シャフト１０を軸に回転可能に当該シャフト１０にボール導電体４０が設けられている。ボール導電体４０は使用者の肌と接する部分で、外面には使用者の肌の組織に刺激を与える多数の面が形成されている。
【００２５】
ボール導電体４０の凹部４２の内径は第２ベアリング３０に接し、ボール導電体４０は第２ベアリング３０に支持されてシャフト１０を軸として回転する。この時、シャフト１０の先細りした先端部は、凹部４２の傾斜した底部である円錐端部４４に接することになる。この時、円錐端部の傾斜角はシャフト１０のテーパ面１２の傾斜角に比べて回転軸を基準にしてより大きく形成される。
【００２６】
ボール導電体４０はハンドピース２００から発生する低周波などの電流の伝達をシャフト１０を介して受けて、使用者の肌に発散する。このためにボール導電体４０は導電性が高い材質からなることが好ましく、例えば、真鍮、銅、ステンレス、アルミニウムなどからなることが望ましい。
【００２７】
ボール導電体４０の凹部４２の開放部には、ロックナット５０が結合される。ロックナット５０は内部に貫通孔が形成され、貫通孔の内周面が第１ベアリング２０の外周面と密着する。ロックナット５０の外周面は、ボール導電体４０と結合される。このとき、ロックナット５０の外周面にねじ山が形成され、これに対応するようにボール導電体４０の凹部４２の内周面にもねじ山が形成され、ボール導電体４０とロックナット５０とは螺合することができる。ここで、ロックナット５０の一側端部は、貫通孔の直径が減少したストッパー部５２を備える。ロックナット５０がボール導電体４０との結合時、ボール導電体４０をシャフト１０に密着させることができるように、ストッパー部５２が第１ベアリング２０に支持される。
【００２８】
図４Ａ乃至図４Ｄは、本発明の一実施形態によるボール組立体の組立手順を示す。
【００２９】
まず、図４Ａに示すように、本発明の一実施形態によるボール組立体においてシャフト１０に第１ベアリング２０と第２ベアリング３０とが一定間隔離間して挿入される。第１ベアリング２０は一側が段差部１４に支持され、第２ベアリング３０が配設される部分の両側にリング溝１７、１８が位置するように、第２ベアリング３０をシャフト１０に挿入する。
【００３０】
また、図４Ｂに示すように、シャフト１０における第１ベアリング２０が配設される位置の外側に位置するリング溝１６にスナップリング６０を嵌め、シャフト１０における第２ベアリング３０が配設される位置の両外側に位置するリング溝１７、１８にスナップリング６０を嵌めることにより、シャフト１０での第１ベアリング２０と第２ベアリング３０の位置が固定される。
【００３１】
次に、図４Ｃに示すように、ボール導電体４０の凹部にシャフト１０の先端部が挿入されることで、ボール導電体４０の凹部の内周面と第２ベアリング３０の外周面とが密着する。
【００３２】
ボール導電体４０の凹部にシャフト１０の一部が挿入されると、シャフト１０の後端部からロックナット５０が挿入されてロックナット５０の外周面とボール導電体４０の凹部の内周面とが結合される。この時、ボール導電体４０とロックナット５０は螺合することができ、ロックナット５０の貫通孔にはストッパー部５２（図３参照）が備えられ、第１ベアリング２０に支持されてボール導電体４０がシャフト１０の先端部と密着することができる。この時、シャフト１０の先端部はテーパ面１２を形成し、シャフト１０とボール導電体４０の円錐端部４４はシャフト１０の直径よりも小さい円状の線形接触部を形成する。
【００３３】
従来、マッサージの際、ボール導電体が回転するにつれ、軸がずれて低周波の伝達が途切れたり、強度が変わったり、する問題があったが、本発明の一実施形態による美容機器は、ボール導電体が二つのベアリングによって支持され、回転するので軸方向の揺動を防止してボール導電体の安定的な回転を可能にする。また、軸方向の揺動を防止してボール導電体とシャフトとの接触部位の変化による抵抗を最小化し、一定の強度の低周波を安定的に肌に伝えることができる。
【００３４】
また、シャフトの先端部とボール導電体の凹端部とが円状に線接触することになるため、停止しているシャフトと回転するボール導電体との間における摩擦や抵抗の変化を最小限に抑えることができる効果がある。
【００３５】
また、ボール組立体の組立が簡単で、生産性が向上するという効果も達成することができる。
【００３６】
開示した内容は、例示に過ぎず、特許請求の範囲で請求する請求の要旨を逸脱することなく、当該技術分野において通常の知識を有する者によって多様に変更実施することができるので、開示した内容の保護範囲は上述した特定の実施形態に限定されない。
【符号の説明】
【００３７】
１０    シャフト
１２    テーパ面
１４    段差部
１６    リング溝
１７    リング溝
１８    リング溝
２０    第１ベアリング
３０    第２ベアリング
４０    ボール導電体（コンダクター）
４２    凹部
４４    円錐端部
５０    ロックナット
５２    ストッパー部
６０    スナップリング
１００  ボール組立体
２００  ハンドピース
【図１】
2019181172.tif 000003
【図２】
2019181172.tif 000004
【図３】
2019181172.tif 000005
【図４Ａ】
2019181172.tif 000006
【図４Ｂ】
2019181172.tif 000007
【図４Ｃ】
2019181172.tif 000008
【図４Ｄ】
2019181172.tif 000009